(57)【要約】  本発明は、団体球技、特にサッカー、ラグビー、ハンドボールまたはバスケットボール用の競技者ウェアであって、この競技者ウェアが、トップ（２）とショーツ（３）とを有している形式のものに関する。競技者の衣服をつかみに難くするために、本発明により、競技者ウェアのトップ（２）とショーツ（３）とがワンピースに形成されている。
2007533863.tif 000002
【特許請求の範囲】
【請求項１】
団体球技、特にサッカー、ラグビー、ハンドボールまたはバスケットボール用の競技者ウェア（１）であって、該競技者ウェア（１）が、トップ（２）とショーツ（３）とを有している形式のものにおいて、トップ（２）とショーツ（３）とが、ワンピースに形成されていることを特徴とする競技者ウェア。
【請求項２】
トップ（２）とショーツ（３）とが、互いに縫い合わされている、請求項１記載の競技者ウェア。
【請求項３】
トップ（２）とショーツ（３）とを結合するシーム（４）が、腰領域を完全に巡って延びている、請求項２記載の競技者ウェア。
【請求項４】
トップ（２）とショーツ（３）とが、スライドファスナによって互いに結合されている、請求項１記載の競技者ウェア。
【請求項５】
トップ（２）とショーツ（３）とが、面ファスナによって互いに結合されている、請求項１記載の競技者ウェア。
【請求項６】
トップ（２）とショーツ（３）とが、ストリングファスナによって互いに結合されている、請求項１記載の競技者ウェア。
【請求項７】
トップ（２）とショーツ（３）との間の結合領域に弾性的なバンドが配置されている、請求項１から６までのいずれか１項記載の競技者ウェア。
【請求項８】
トップ（２）が、首通し部（８）を開くための少なくとも１つのファスナ（６，７）、特にスライドファスナ、面ファスナまたはストリングファスナを有している、請求項１から７までのいずれか１項記載の競技者ウェア。
【請求項９】
前記ファスナ（６，７）が、肩領域に延びているか、または脊柱に沿って延びている、請求項８記載の競技者ウェア。
【請求項１０】
首通し部（８）から側方に肩領域にかけて配置された２つのファスナ（６，７）、特にスライドファスナが設けられている、請求項８または９記載の競技者ウェア。
【請求項１１】
首領域に弾性的なバンド（９）が配置されている、請求項１から１０までのいずれか１項記載の競技者ウェア。
【請求項１２】
ショーツ（３）が、弾性的な材料から成っており、着用者の大腿部を取り囲んで密着するように裁断されている、請求項１から１１までのいずれか１項記載の競技者ウェア。
【請求項１３】
ショーツ（３）の上に配置されたオーバーショーツ（１０）が設けられている、請求項１から１２までのいずれか１項記載の競技者ウェア。
【請求項１４】
トップ（２）とショーツ（３）とが縫い合わされている個所でショーツ（３）にオーバーショーツ（１０）が縫い付けられている、請求項１３記載の競技者ウェア。
【請求項１５】
トップ（２）とショーツ（３）とオーバーショーツ（１０）とが、唯１つのシーム（４）によって互いに結合されている、請求項１４記載の競技者ウェア。
【請求項１６】
オーバーショーツ（１０）が、ショーツ（３）よりも長尺に形成されている、請求項１３から１５までのいずれか１項記載の競技者ウェア。
【請求項１７】
トップ（２）および／またはショーツ（３）もしくはオーバーショーツ（１０）が、少なくとも１つの通気開口（１１，１１’，１１’’，１１’’’，１２）を備えている、請求項１から１６までのいずれか１項記載の競技者ウェア。
【請求項１８】
トップ（２）および／またはショーツ（３）が、高弾性的な材料から成っている、請求項１から１７までのいずれか１項記載の競技者ウェア。
【請求項１９】
シーム、特にトップ（２）とショーツ（３）もしくはオーバーショーツ（１０）との間のシームおよび通気開口（１１，１１’，１１’’，１１’’’，１２）を形成するためのシームとを製作するための高弾性的な材料から成る糸が設けられている、請求項１から１８までのいずれか１項記載の競技者ウェア。
【発明の詳細な説明】
【技術分野】
【０００１】
本発明は、団体球技、特にサッカー、ラグビー、ハンドボールまたはバスケットボール用の競技者ウェアであって、該競技者ウェアが、シャツ等のトップとショーツとを有している形式のものに関する。
【０００２】
このような形式の競技者ウェアは、公知先行技術においてよく知られていて、たいてい種々異なる団体球技ごとに、適用される競技規則に則して規定されている。
【０００３】
これに関連してサッカー競技では、たとえば欧州サッカー連盟（ＵＥＦＡ）の規則により、トップとショーツとから成るサッカーウェアがどのような形で着用されなければならないかが規定されている。とりわけシャツ（トップ）はショーツの中に差し込まなければならないことが規定されている。このことは特に競技違反（競技者のボディーコンタクト）の際に、たびたび競技者ウェアを整然とした状態にもたらすことを必要とする。
【０００４】
さらに問題となるのは、公知の競技者ウェアの場合、競技者をつかむことが比較的容易であり、このことが競技者を妨害することである。
【０００５】
本発明の根底を成す課題は、冒頭で述べた形式の競技者ウェアを改良して、競技者の衣服がつかみ難くなるような競技者ウェアを提供することである。さらに競技者ウェアの着用のための規則に関連する現行の競技規則が容易に遵守されることが望まれる。競技者ウェアは、特にラフな競技条件下でも、競技者が特に気に留める必要なしに、規則に定められた位置に留まることが望まれる。さらに、問題となるできるだけ全ての条件下に競技者ウェアの最適なフィットが維持されることが目標とされる。このことは広告担体としての競技者ウェアと関連して重要となる。
【０００６】
この課題を解決するための解決手段は本発明によれば、競技者ウェアのトップとショーツとがワンピース（一体）に形成されていることにより特徴付けられている。
【０００７】
本発明の特別な構成では、トップとショーツとが互いに縫い合わされている。この場合にトップとショーツとを結合しているシームは、競技者ウェアの腰領域を完全に取り囲んでいてよい。この領域には弾性的なバンド（ゴムバンド）が一緒に配置されて（縫いつけられて）いてよい。このことはショーツもトップも競技者の体の腰領域に位置固定されているという利点をもたらす。
【０００８】
択一的な構成では、トップとショーツとがスライドファスナによって互いに結合されている。さらに、これらの両部分の結合のためには、択一的に面ファスナまたはストリングファスナ（Schnuerverschluss）も挙げられる。
【０００９】
このような構成を用いると、競技者をつかみ難くされている点で優れている競技者ウェアが提供される。さらに、極端な競技条件下でも、たとえば相手方によりトップが引っぱられた場合でも、競技者がこれに対して何らかの対応を講じる必要なしに、競技者ウェアは規則で定められた位置に信頼性良く留まる。さらに、上で説明した構成は、競技者ウェアが競技者の体に最適にフィットし、かつできるだけ良好な位置に保持されることを確保する。
【００１０】
別の改良形では、トップが、首通し部を開くための少なくとも１つのファスナ、特にスライドファスナ、面ファスナまたはストリングファスナを有している。前記ファスナは、競技者の肩領域に延びているかまたは脊柱に沿って延びていると有利である。首通し部から側方に肩領域にかけて配置された２つのファスナ、特にスライドファスナが設けられていると、特に有利な構成が得られる。さらに、首領域に、特に首通し部の前側に、弾性的なバンドが配置されていてよい。
【００１１】
このような手段を用いると、競技者ウェアはワンピースの構成にもかかわらず競技者ウェアが特に簡単に着脱され得るようになると共に、着用した状態では最適なフィット形状を有することが達成される。
【００１２】
ショーツが弾性的な材料から成っていて、しかも競技者の大腿部を取り囲んで密着するように仕立てられていると有利である。これにより、軽度のコンプレッションを加えることによって競技者の大腿部の筋肉がこのショーツにより支持され、かつ保温されることが達成されるので特に有利である。これにより、相手方の競技者によってショーツがつかまれ難くなることも達成されるので有利である。
【００１３】
さらに別の改良形では、ショーツの上にオーバーショーツが配置されている。このオーバーショーツは、トップとショーツとが互いに結合されている、特に縫い合わされている個所でショーツに縫い付けられてあってよい。トップとショーツとオーバーショーツとが唯１つのシームによって互いに結合されていると、製造技術的な利点が得られる。
【００１４】
オーバーショーツは、競技者ウェアのショーツよりも長尺に形成されていてよい。すなわち、その場合、ショーツはオーバーショーツを越えて下からはみ出していない。
【００１５】
本発明による競技者ウェアのさらに別の構成では、トップおよび／またはショーツもしくはオーバーショーツが、少なくとも１つの通気開口を備えている。これにより、最適な通気が確保される。複数の通気開口がトップに配置されていて、かつほぼ水平に延びていてよい。これらの通気開口をショーツもしくはオーバーショーツに配置する場合には、外見上の理由から、これらの通気開口がショーツもしくはオーバーショーツの側方の領域に配置され、かつほぼ鉛直方向に延びていることが推奨される。
【００１６】
トップおよび／またはショーツもしくはオーバーショーツのための材料としては、有利には高弾性的な素材が挙げられる。このことは、競技者ウェアが競技者の体にぴったりと密着し、ひいては相手方の競技者にとって、競技者ウェアをつかんで引っぱることが特に困難になるという利点をもたらす。さらにこのような種類の糸材料は、この糸材料の弾性に基づき競技者の可動性を高める。なぜならば、この競技者ウェアは競技者の運動に小さな抵抗力しか加えないからである。有利な弾性的な特性を有する糸は、たとえば商標名「エラスタン（Elasthan）」または「ライクラ(Lycra)」で知られている。
【００１７】
競技者ウェアの個々の構成要素を縫い合わせるための糸、つまり特にトップとショーツとを縫い合わせるための糸もしくは通気開口を縫い込むための糸としては、やはり高弾性的な糸が使用されると有利である。このような使用目的のために特に好適な弾性的な糸は、たとば商標名「サバフレックス（SabaFlex）」で知られている。これにより、トップとショーツとの間のシームに高い弾性を付与することができるので有利である。このことは通気開口のシームにも云える。
【００１８】
本発明によれば、競技者ウェアがワンピースに形成されている、つまりトップとショーツとは互いに結合されているが、しかしトップとショーツもしくはオーバーショーツとを互いに異なる色合いに形成し、ひいてはあたかもツーピース（トップとショーツ）に形成されているクラシカルな競技者ウェアであるかのような視覚的印象を作り出すことが可能である。したがって、既知の外観を放棄することなく、本発明による競技者ウェアの有利な機能性を利用することができる。
【００１９】
以下に、本発明の実施例を図面につき説明する。
【００２０】
図１はサッカー競技者ウェアの正面図であり、
図２はサッカー競技者ウェアの側面図であり、
図３はサッカー競技者ウェアを後ろから見た図である。
【００２１】
競技者ウェア１は本実施例ではサッカー競技者ウェアとして形成されていて、トップ２とショーツ３とから成っている。トップ２とショーツ３とは互いに縫い合わされている。このためには、腰領域５にシーム４が延びており、しかもシーム４は腰を完全に巡るように延びている。シーム４のこの領域には、弾性的なゴムバンドが一緒に縫い込まれている（詳しくは図示しない）。これにより、競技者ウェア１が競技者の腰領域５に位置固定されていることが確保される。さらに、やはり図１には認められないが、手による調整のための紐が配置されている。
【００２２】
競技者ウェア１の着脱のためには、首通し部８の側方に、肩領域で側部に向かって延びる２つのスライドファスナ６，７が配置されている。スライドファスナ６，７が開かれた状態で、競技者ウェア１の着用者は、首通し部８の領域に生ぜしめられた、拡大された開口を通じ、足元から競技者ウェア１の内部に入り込むことができ、このようにして競技者ウェア１を着用することができる。競技者が競技者ウェア１を着用した後に、スライドファスナ６，７は閉じられ、これにより競技者ウェア１は競技者の体に密着される。首領域に弾性的なバンド９が配置されていることにより、改善されたフィットが得られる。
【００２３】
ショーツ３の上にはオーバーショーツ１０が存在する。トップ２とショーツ３とオーバーショーツ１０とが、唯１つのシーム、すなわちシーム４によって互いに永続的に結合されていることにより、製造技術的な利点が得られる。
【００２４】
競技者ウェア１の改善された通気のためには、通気開口１１，１１’，１１’’，１１’’’，１２が設けられている。トップ２に配置された通気開口１１，１１’，１１’’，１１’’’は実施例では、ほぼ水平に延びていて、トップ２の両側部に配置されている。
【００２５】
オーバーショーツ１０には、両ショーツ側部にそれぞれ１つの通気開口１２が配置されている。この場合、この通気開口１２はほぼ鉛直方向に延びている。
【００２６】
通気開口１１，１１’，１１’’，１１’’’，１２はこの場合、切込みもしくは切抜きとして、トップ２もしくはオーバーショーツ１０に形成されている。トップ２およびオーバーショーツ１０の下には、良好な空気通過特性を備えた薄い素材が配置されている。
【００２７】
競技者ウェア１は、短い袖または長い袖１３を有していてよい。本実施例には、短袖のヴァージョンが示されている。
【００２８】
本実施例では、縫い合わせによるトップ２とショーツ３との結合が説明されている。念のため付言しておくと、両部分の結合は、スライドファスナ、面ファスナ、ストリングファスナまたはその他の手段によっても行うことができる。
【図面の簡単な説明】
【００２９】
【図１】サッカーの競技者ウェアの正面図である。
【図２】サッカーの競技者ウェアの側面図である。
【図３】サッカーの競技者ウェアを後ろから見た図である。
【符号の説明】
【００３０】
１  競技者ウェア、  ２  トップ、  ３  ショーツ、  ４  シーム、  ５  腰領域、  ６，７  スライドファスナ、  ８  首通し部、  ９  弾性的なバンド、  １０  オーバーショーツ、  １１，１１’，１１’’，１１’’’，１２  通気開口、  １３  袖
【図１】
2007533863.tif 000003
【図２】
2007533863.tif 000004
【図３】
2007533863.tif 000005
【手続補正書】
【提出日】平成17年8月2日(2005.8.2)
【手続補正１】
【補正対象書類名】特許請求の範囲
【補正対象項目名】全文
【補正方法】変更
【補正の内容】
【特許請求の範囲】
【請求項１】
団体球技、特にサッカー、ラグビー、ハンドボールまたはバスケットボール用の競技者ウェアであって、該競技者ウェアが、トップ（２）とショーツ（３）とを有しており、トップ（２）とショーツ（３）とが、規定通りの使用時にワンピースに形成されている形式のものにおいて、ショーツ（３）の上に配置されたオーバーショーツ（１０）が設けられていることを特徴とする競技者ウェア。
【請求項２】
トップ（２）とショーツ（３）とが互いに結合されている個所でショーツ（３）にオーバーショーツ（１０）が縫い付けられている、請求項１記載の競技者ウェア。
【請求項３】
トップ（２）とショーツ（３）とが、互いに縫い合わされている、請求項２記載の競技者ウェア。
【請求項４】
トップ（２）とショーツ（３）とオーバーショーツ（１０）とが、唯１つのシーム（４）によって互いに結合されている、請求項３記載の競技者ウェア。
【請求項５】
トップ（２）とショーツ（３）とを結合するシーム（４）が、腰領域（５）を完全に巡って延びている、請求項３または４記載の競技者ウェア。
【請求項６】
トップ（２）とショーツ（３）とが、スライドファスナによって互いに結合されている、請求項１記載の競技者ウェア。
【請求項７】
トップ（２）とショーツ（３）とが、面ファスナによって互いに結合されている、請求項１記載の競技者ウェア。
【請求項８】
トップ（２）とショーツ（３）とが、ストリングファスナによって互いに結合されている、請求項１記載の競技者ウェア。
【請求項９】
トップ（２）とショーツ（３）との間の結合領域に弾性的なバンドが配置されている、請求項１から８までのいずれか１項記載の競技者ウェア。
【請求項１０】
トップ（２）が、首通し部（８）を開くための少なくとも１つのファスナ（６，７）、特にスライドファスナ、面ファスナまたはストリングファスナを有している、請求項１から９までのいずれか１項記載の競技者ウェア。
【請求項１１】
前記ファスナ（６，７）が、肩領域に延びているか、または脊柱に沿って延びている、請求項１０記載の競技者ウェア。
【請求項１２】
首通し部（８）から側方に肩領域にかけて配置された２つのファスナ（６，７）、特にスライドファスナが設けられている、請求項１０または１１記載の競技者ウェア。
【請求項１３】
首領域に弾性的なバンド（９）が配置されている、請求項１から１２までのいずれか１項記載の競技者ウェア。
【請求項１４】
ショーツ（３）が、弾性的な材料から成っており、着用者の大腿部を取り囲んで密着するように裁断されている、請求項１から１３までのいずれか１項記載の競技者ウェア。
【請求項１５】
オーバーショーツ（１０）が、ショーツ（３）よりも長尺に形成されている、請求項１から１４までのいずれか１項記載の競技者ウェア。
【請求項１６】
トップ（２）および／またはショーツ（３）もしくはオーバーショーツ（１０）が、少なくとも１つの通気開口（１１，１１’，１１’’，１１’’’，１２）を備えている、請求項１から１５までのいずれか１項記載の競技者ウェア。
【請求項１７】
トップ（２）および／またはショーツ（３）が、高弾性的な材料から成っている、請求項１から１６までのいずれか１項記載の競技者ウェア。
【請求項１８】
シーム、特にトップ（２）とショーツ（３）もしくはオーバーショーツ（１０）との間のシームおよび通気開口（１１，１１’，１１’’，１１’’’，１２）を形成するためのシームとを製作するための高弾性的な材料から成る糸が設けられている、請求項１から１７までのいずれか１項記載の競技者ウェア。
【国際調査報告】
2007533863.tif 000006
2007533863.tif 000007
2007533863.tif 000008
2007533863.tif 000009
2007533863.tif 000010
2007533863.tif 000011